(57)【要約】【課題】不純物の巻き込みによる試料の突発的な汚染なく、採水を可能とする試料水の採取装置及び採取方法を提供する。【解決手段】チューブ１０，１１、グローブ２、槽体３の内壁、採取容器９は、プラスチック（主にポリプロピレンやフッ素樹脂素材）で構成されており、事前に超純水等で十分に洗浄されたものである。採取容器９を槽体３内に配置した後、チューブ１０，１１より槽体３内に超純水などの試料水を注水し、槽体３内をすべて試料水で満たし、上部の通水口６からオーバーフローさせる。数時間以上、試料水をオーバーフローさせた後、グローブ２に手を差し込み、採取容器９を密閉するように操作した後、取り出す。【選択図】図１
2014199200.tif 000002
【特許請求の範囲】
【請求項１】
グローブを有した槽体と、
該槽体内に試料水を注水する手段と、
該槽体内に配置される採取容器と
を備えてなる試料水の採取装置。
【請求項２】
請求項１の試料水の採取装置を用いた試料水の採取方法であって、
前記槽体内に前記採取容器を配置する工程と、
該槽体内に試料水を注水し、オーバーフローさせる工程と、
該採取容器を封じた後、該槽体から取り出す工程と
を有する試料水の採取方法。
【発明の詳細な説明】
【技術分野】
【０００１】
本発明は、電子工業用超純水など不純物濃度が非常に低い水（試料水）に含まれている不純物濃度を分析測定するために採取容器に採取する採取装置に関する。
【背景技術】
【０００２】
試料水に不純物を混入させることなく採取する採取装置として、特許文献１（特許第３２８４７９７号（特開平８−１４５９８３））に記載のものがある。
【０００３】
特許文献１では、採取装置内へ採取容器を置き、試料水を供給し、採取容器内へ試料水を採取する。装置内の採取環境は、採取容器から溢れた試料水が貯水部からポンプ循環し、送風空気と気液接触することにより、常に清浄化された送風空気により満たされている。これより装置内は、メタル、イオン類の不純物濃度が数ｐｐｔレベル以下に抑えられ、試料水中の本来の不純物のみを採取することが可能である。
【先行技術文献】
【特許文献】
【０００４】
【特許文献１】特許第３２８４７８７号
【発明の概要】
【発明が解決しようとする課題】
【０００５】
しかしながら、特許文献１の採取装置では、採取時に外気混入や採水者自身による不純物を巻き込み、採水試料の突発的な汚染を引き起こす可能性がある。
【０００６】
本発明は、上記問題点を解消し、装置内への不純物の巻き込みによる試料の突発的な汚染なく、採水を可能とする試料水の採取装置及び採取方法を提供することを目的とする。
【課題を解決するための手段】
【０００７】
本発明の試料水の採取装置はグローブを有した槽体と、該槽体内に試料水を注水する手段と、該槽体内に配置される採取容器とを備えてなるものである。
【０００８】
本発明の試料水の採取方法は、この試料水の採取装置を用いた試料水の採取方法であって、前記槽体内に前記採取容器を配置する工程と、該槽体内に試料水を注水し、オーバーフローさせる工程と、該採取容器を封じた後、該槽体から取り出す工程とを有するものである。
【発明の効果】
【０００９】
本発明の試料水の採取装置及び採取方法では、採取装置内部は採取容器と同様、試料水の汚染のないレベルで清浄である。採取装置には、同様に清浄な採取用のグローブが接続されており、このグローブを用い、試料水を採取した採取容器を操作することができる。装置内の部材は試料水による汚染がなく、装置内部をすべて試料水で満たし、溢れさせることにより外部環境からの汚染をシールし、不純物の汚染の危険性なく採取することが可能となる。
【００１０】
本発明によれば、超純水などの試料水を、突発的な空気からの汚染を防いで採取容器に採水できる。したがって試料水が本来含んでいる極低濃度の不純物濃度を正確に求めることができる。
【図面の簡単な説明】
【００１１】
【図１】実施の形態に係る試料水の採取装置の斜視図である。
【発明を実施するための形態】
【００１２】
以下、図１を参照して本発明についてさらに詳細に説明する。
【００１３】
図１に示す採取装置１は、軟質合成樹脂製のグローブ（手袋）２を有した槽体３を備えている。槽体３は、上面が開放した円筒容器形状のものであり、その上面にシール用の合成樹脂製シート４が取り付けられている。シート４は、槽体３の上部を周回しており、その下縁部が槽体３の上縁部に水密的に連結されている。シート４の上縁部を窄ませてリング状のクリップ５に通すことにより、シート４が逆ロート形状となる。シート４の上部に通水口６が形成される。
【００１４】
槽体３の下部には複数個の下部通水口７が設けられている。この実施の形態では、槽体３の直径方向に対峙して２個の下部通水口７が設けられている。前記グローブ２は槽体３の側周面に設けられている。このグローブ２内に操作者が手を差し込み、槽体３内で作業を行うことが可能である。
【００１５】
この槽体３内に複数個、例えば１０個程度の採取容器９を設置することができる。なお、槽体３内の底面部に、採取容器９を係合させて移動を阻止することができるような凹所、凸所などの係合部を設けてもよい。採取容器９は、合成樹脂製の採取ビンであり、開閉可能なキャップ９ａを備えている。
【００１６】
前記の下部通水口７に試料水チューブ１０を接続し、また、通水口６から試料水チューブ１１を差し込み、これらのチューブ１０，１１から試料水を槽体３内に注水可能となっている。
【００１７】
これらのチューブ１０，１１、グローブ２、槽体３の内壁、採取容器９は、プラスチック（主にポリプロピレンやフッ素樹脂素材）で構成されており、事前に超純水等で十分に洗浄されたものである。
【００１８】
このように構成された採取装置１を用いて試料水を採取容器９内に採取するには、採取容器９を槽体３内に配置した後、チューブ１０，１１より槽体３内に注水し、槽体３内をすべて試料水で満たし、上部の通水口６からオーバーフローさせる。
【００１９】
数時間以上、試料水をオーバーフローさせた後、グローブ２に手を差し込み、採取作業（採取容器９のキャップ閉め）を行う。
【００２０】
槽体３の内部はすべて試料水でシールされているため、空気からの突発的な汚染を受けることなく、採水者による作業要領に影響を受けることなく、常に安定した試料本来の不純物濃度のままで試料水を採取容器９内に密封状に採取することができる。
【００２１】
その後、槽体３内の水を排出し、採取容器９を取り出し、採取容器を分析装置のある場所へ移動し、分析に供する。
【実施例】
【００２２】
［実施例１］
槽体３として直径４５ｃｍ、高さ４０ｃｍのものを用い、採取容器９として容量５００ｍＬのもの３個を槽体３内に配置し、３本のチューブ１０，１１より超純水を１Ｌ／ｍｉｎにて槽体３内に１．５ｈ注水し、オーバーフローさせた。その後、超純水注水を停止し、採取容器９のキャップ９ａを閉め、この採取容器９を取り出した。
【００２３】
この採取操作をＡ，Ｂ，Ｃの３人によって別々に行った。各採取容器内の試料水を陽イオン用イオンクロマトグラフ、陰イオン用イオンクロマトグラフに供給して分析した結果を表１に示す。
【００２４】
［比較例１］
上記の超純水を特許文献１の方法で採取容器に採取した。採取容器内の陽イオン用イオンクロマトグラフ、陰イオン用イオンクロマトグラフに供給して分析した結果を表１に示す。
【００２５】
【表１】
2014199200.tif 000003
【００２６】
表１の通り、実施例１及び比較例１ともに低濃度の良好な分析値が得られているが、突発汚染の回数を比較すると、比較例１に比べて、実施例１によると、汚染数が少なく（０個）、突発汚染数を減らすことができることが認められた。
【符号の説明】
【００２７】
１  試料水の採取装置
２  グローブ
３  槽体
４  シート
５  クリップ
６  通水口
７  下部通水口
９  採取容器
１０，１１  試料水チューブ
【図１】
2014199200.tif 000004